(57)【要約】【課題】コスト面や生産面での向上を図りつつ、植物繁殖体の極度の偏在を防止することができ、さらには植物繁殖体を自在かつ容易に所望の位置に配置することを可能とする植生袋及びその製造方法並びに植生マットを提供する。【解決手段】植生対象として含む植物繁殖体２の種類の相違または前記植物繁殖体２の有無により区別される２パターン以上の領域８が袋体１内において該袋体１の最奥部側から所定の順序で並ぶように前記袋体１内に前記植物繁殖体２及び材料３，４を充填し、所定の領域８に特定種の植物繁殖体２を含ませ、前記所定の領域８に隣接する他の領域８に前記特定種の植物繁殖体２を含ませないようにしてある。【選択図】図１
2012237179.tif 000002
【特許請求の範囲】
【請求項１】
植生対象として含む植物繁殖体の種類の相違または前記植物繁殖体の有無により区別される２パターン以上の領域が袋体内において該袋体の最奥部側から所定の順序で並ぶように前記袋体内に前記植物繁殖体及び材料を充填し、所定の領域に特定種の植物繁殖体を含ませ、前記所定の領域に隣接する他の領域に前記特定種の植物繁殖体を含ませないようにしてあることを特徴とする植生袋。
【請求項２】
前記他の領域は、前記植物繁殖体を含まないか、または前記特定種以外の植物繁殖体を含む請求項１に記載の植生袋。
【請求項３】
前記植物繁殖体を含む領域と、前記植物繁殖体を含まない領域とが交互に並ぶようにしてある請求項１に記載の植生袋。
【請求項４】
シート状体と、該シート状体に装着される請求項１〜３の何れか一項に記載の植生袋とを備えた植生マットであって、複数の前記植生袋が略ストライプ状に並ぶ状態となるように前記シート状体に装着されることを特徴とする植生マット。
【請求項５】
植生対象として含む植物繁殖体の種類の相違または前記植物繁殖体の有無により区別される２パターン以上の領域が袋体内において該袋体の最奥部側から所定の順序で並ぶように前記袋体内に前記植物繁殖体及び材料を充填し、所定の領域に特定種の植物繁殖体を含ませ、前記所定の領域に隣接する他の領域に前記特定種の植物繁殖体を含ませないことを特徴とする植生袋の製造方法。
【請求項６】
前記他の領域に、前記植物繁殖体を含ませないか、または前記特定種以外の植物繁殖体を含ませる請求項５に記載の植生袋の製造方法。
【請求項７】
前記植物繁殖体を含む領域と、前記植物繁殖体を含まない領域とを交互に並べる請求項５に記載の植生袋の製造方法。
【発明の詳細な説明】
【技術分野】
【０００１】
この発明は、例えば、法面への樹木等の導入や装飾的な植生等に用いられる植生袋及びその製造方法並びに植生マットに関する。
【背景技術】
【０００２】
種子を利用した緑化工として、植生基材吹付工、客土吹付工、種子散布工、植生シート工、植生マット工等がある。斯かる緑化工では、施工地による制約がない場合、トールフェスクやバミューダグラス、ケンタッキーブルーグラス、クリーピングレッドフェスク等の外来牧草、ススキやイタドリ、メドハギ、ヤマハギ等の在来草本の種子を使用する。
【０００３】
しかしながら、樹木を主とする緑化を行うにあたってコナラやシラカシ等の大型種子を用いる場合、上記各種の工法では、工法の種類や種子の性状等により程度の差はあるものの、吹き付けた種子がリバウンドしたり、植生シートや植生マットに保持された長袋状の植生袋内で種子が極度に偏在したりするといった問題がつきまとう。
【０００４】
本出願人が先に提案した、大型種子・肥料・生育基盤材を充填した小袋を植生マットに保持させる植生マット工（特許文献１参照）は、上記問題の解決の一助ともなる技術である。
【先行技術文献】
【特許文献】
【０００５】
【特許文献１】特開平１１−８１３２２号公報、図６
【発明の概要】
【発明が解決しようとする課題】
【０００６】
しかし、上記小袋は従来の長袋状の植生袋よりも容量が小さいので、所定量の種子や肥料等の配置には長袋状の植生袋より多くの小袋が必要となり、製造コストや生産性の点で不利となる。
【０００７】
また、例えば法面にて施工する際に所謂小段効果を確実に得るために、複数の小袋を等高線に沿わせて隙間なく配置しようとすると、手間及びコストの両面で、従来の長袋状の植生袋を設置する場合よりも負担が大となる。尚、ここでいう小段効果とは、周囲からの飛来種子、木の葉や、法面山側からの流亡土砂等が法面に配置された植生袋（小袋）によって堰き止められ堆積することにより、その山側に植生基盤が小段状に形成され、その小段において植物が生長し易くなる効果を指す。
【０００８】
本発明は上述の実情に鑑みてなされたもので、その目的は、コスト面や生産面での向上を図りつつ、植物繁殖体の極度の偏在を防止することができ、さらには植物繁殖体を自在かつ容易に所望の位置に配置することを可能とする植生袋及びその製造方法並びに植生マットを提供することにある。ここで、植物繁殖体とは、種子の他、球根、根茎、胞子など、植物が発芽するもととなる物体の総称を指す語句である。
【課題を解決するための手段】
【０００９】
上記目的を達成するために、本発明に係る植生袋は、植生対象として含む植物繁殖体の種類の相違または前記植物繁殖体の有無により区別される２パターン以上の領域が袋体内において該袋体の最奥部側から所定の順序で並ぶように前記袋体内に前記植物繁殖体及び材料を充填し、所定の領域に特定種の植物繁殖体を含ませ、前記所定の領域に隣接する他の領域に前記特定種の植物繁殖体を含ませないようにしてある（請求項１）。
【００１０】
前記植生袋において、前記他の領域は、前記植物繁殖体を含まないか、または前記特定種以外の植物繁殖体を含むようにすることができる（請求項２）。
【００１１】
上記各植生袋において、前記植物繁殖体を含む領域と、前記植物繁殖体を含まない領域とが交互に並ぶようにしてあってもよい（請求項３）。
【００１２】
上記目的を達成するために、本発明に係る植生マットは、シート状体と、該シート状体に装着される請求項１〜３の何れか一項に記載の植生袋とを備えた植生マットであって、複数の前記植生袋が略ストライプ状に並ぶ状態となるように前記シート状体に装着されることを特徴としている（請求項４）。
【００１３】
上記目的を達成するために、本発明に係る植生袋の製造方法は、植生対象として含む植物繁殖体の種類の相違または前記植物繁殖体の有無により区別される２パターン以上の領域が袋体内において該袋体の最奥部側から所定の順序で並ぶように前記袋体内に前記植物繁殖体及び材料を充填し、所定の領域に特定種の植物繁殖体を含ませ、前記所定の領域に隣接する他の領域に前記特定種の植物繁殖体を含ませないことを特徴としている（請求項５）。
【００１４】
前記植生袋の製造方法は、前記他の領域に、前記植物繁殖体を含ませないか、または前記特定種以外の植物繁殖体を含ませるものとすることができる（請求項６）。
【００１５】
上記植生袋の製造方法において、前記植物繁殖体を含む領域と、前記植物繁殖体を含まない領域とを交互に並べるようにしてもよい（請求項７）。
【発明の効果】
【００１６】
請求項１〜７に係る発明では、コスト面や生産面での向上を図りつつ、植物繁殖体の極度の偏在を防止することができ、さらには植物繁殖体を自在かつ容易に所望の位置に配置することを可能とする植生袋及びその製造方法並びに植生マットが得られる。
【００１７】
すなわち、各請求項に係る発明では、比較的容量の大きい長袋状の袋体を用いることにより、比較的容量の小さい小袋を用いる場合よりも必要な数が少なくて済むので、コスト面や生産面での向上を図ることができる。
【００１８】
また、各請求項に係る発明では、たとえ長袋状の袋体であっても、その内部に形成される所定の領域に植生対象としての特定の植物繁殖体を含ませ、これに隣接する他の領域に前記特定の植物繁殖体を含ませない、といったことができるのであり、従って、植生対象とする植物繁殖体の極度の偏在を防止してその良好な生育を図ることができる。さらに、２パターン以上の領域が袋体内において該袋体の最奥部側から所定の順序で並ぶように前記袋体内に植物繁殖体及び材料を充填するので、植物繁殖体を自在かつ容易に所望の位置に配置することが可能となる。
【００１９】
その上、各請求項に係る発明の植生袋を等高線に沿うように配置すれば、上述の小段効果が得られる。
【００２０】
各請求項に係る発明の植生袋を緑化対象面に設置すると、植生対象とする植物繁殖体を含む領域は植生区を構成し、含まない領域は緩衝区を構成するので、植生対象とする植物繁殖体の過度の密集が防止されるように植生区を構成する領域と緩衝区を構成する領域とを割り振ることにより、植生袋全体にわたって植物の生育を好適に促進することができる。
【００２１】
従って、上記植生袋によれば、植物繁殖体の極度の偏在を防止することができる上、緑化工や請求項４の植生マットに上記植生袋を用いれば、生育せず無駄になる植物繁殖体の数も減らすことができるので、植物繁殖体の使用量も抑えられ、このことは製造コストや施工コストの低減にもつながる。そして、上記植生袋は例えば野菜の栽培にも適用可能であり、この場合には、間引きを不要とすることもできる。
【００２２】
しかも、上記植生袋は、植物繁殖体の配置を部分的に留めて植物繁殖体が存在しない緩衝区を設けるものであるが、この緩衝区をある程度広げれば、この区域は周辺植物から飛来してくる植物繁殖体を生育させるための範囲ともなり、積極的に周辺植物が導入でき緑化に好適となる。
【００２３】
また、請求項１〜３、４〜６に係る発明では、一本の植生袋に、例えば樹木が生育する樹木部と、草本類が生育する草本部とを設けるといったことも可能となる。
【図面の簡単な説明】
【００２４】
【図１】（Ａ）は本発明の第一の実施の形態に係る植生袋の製造方法を概略的に示す説明図、（Ｂ）は、本発明の第二の実施の形態に係る植生袋の製造方法を概略的に示す説明図である。
【図２】（Ａ）及び（Ｂ）は、第一の実施の形態に係る植生袋の構成を概略的に示す斜視図及び部分切断斜視図、（Ｃ）は第二の実施の形態に係る植生袋の構成を概略的に示す部分切断斜視図である。
【図３】前記植生袋を備えた植生マットの構成を概略的に示す分解斜視図である。
【図４】（Ａ）は第二の実施の形態に係る植生袋を備えた植生マットの設置例を概略的に示す説明図、（Ｂ）は変形例に係る植生マットの設置例を概略的に示す説明図、（Ｃ）は第一の実施の形態に係る植生袋を備えた植生マットの設置例を概略的に示す説明図である。
【図５】（Ａ）は前記植生マットの別の例の構成を概略的に示す斜視図、（Ｂ）は（Ａ）に示す植生マットの更なる変形例を概略的に示す斜視図である。
【図６】前記植生袋の他の設置例を概略的に示す説明図である。
【図７】（Ａ）は仕切り部を有する植生袋の構成を概略的に示す斜視図、（Ｂ）及び（Ｃ）は仕切り部を有する他の植生袋の構成を概略的に示す説明図及び部分切断斜視図である。
【発明を実施するための形態】
【００２５】
以下、本発明の実施の形態について図面を参照しながら説明する。
【００２６】
本発明の第一の実施の形態に係る植生袋Ａの製造方法は、長袋状の袋体１に、種子（植生対象としての植物繁殖体の一例）２を含む材料３を投入する第一の投入工程と、種子２を含まない材料４を投入する第二の投入工程とを交互に繰り返し（図１（Ａ）参照）、図２（Ａ）及び（Ｂ）に示す植生袋Ａを製造するためのものである。
【００２７】
袋体１は、内容物充填後の径が３〜２０ｃｍ、長さが５０〜２００ｃｍの長袋状（本例では長さが径の２．５倍以上の袋状）で、袋内に導入される植生対象としての植物繁殖体の生育を阻害しないために透水性及び通芽性を有するように構成されたもの（不織布、紙、織布など）であって、例えば、完全に分解するものや全体の半分だけ分解するもの、あるいは点状、筋状に一部だけ分解するものとすることができ、このような袋体１の構成素材としては、例えばバクテリアなどの微生物で分解腐食されて経時的に消失する綿、絹、麻などの天然繊維や、再生セルロースからなるビスコースレーヨンなどの再生繊維、さらには、前述したような腐食性繊維の単独、又は、腐食性繊維と合成繊維とからなる混紡繊維を使用することができる。尚、本実施形態では、生分解性プラスチックを使った不織布によって袋体１全体を構成してある。
【００２８】
種子２としては、例えば、あかまつ、やしゃぶし、いたちはぎなどの樹木の種子、トールフェスク、バミューダグラス、クリーピングレッドフェスク、レッドトップ、ホワイトクローバなどの牧草種子や花の種子、よもぎ、ススキ、めどはぎなどの野草の種子から、任意に選択されたものである。本実施形態では、種子２として一種の種子のみ用いる。
【００２９】
材料３としては、土壌改良材、保水材、肥料（有機堆肥、化学肥料）、植物性繊維、客土などの少なくとも１種を含む植生基材を種子２に配合したものを用いることができる。ここで、土壌改良材の例としては、ピートモス、バーク堆肥、ベントナイトなど、保水材の例としては、パーライト、バーミキュライト、高吸水性ポリマーなどを挙げることができる。
【００３０】
材料４としては、例えば、上記植生基材を用いることができる。尚、材料３，４に用いる植生基材は同一物であっても異なる配合がなされたものでもよい。
【００３１】
袋体１に対する材料３、４の投入は、例えば図１に示す投入装置を用いて行うことができる。この投入装置は、材料３が投入される第一のホッパー５と、材料４が投入される第二のホッパー６とを備え、ホッパー５，６はともにノズル７に接続されている。そして、材料３を投入する第一の投入工程では、第一のホッパー５からノズル７を経た材料３が袋体１内に所定量投入され、材料４を投入する第二の投入工程では、第二のホッパー６からノズル７を経た材料４が袋体１内に所定量投入される。尚、本実施形態では、第一の投入工程における種子２を含む材料３の投入量よりも、第二の投入工程における材料４の投入量を多くしてあるが、これに限らず、両投入量の多少を逆としても、あるいは同等としてもよいし、さらには、複数の第一、第二の投入工程にわたって投入量が規則的あるいは不規則に異なっていてもよい。
【００３２】
ここで、各投入工程では、投入対象（第一の投入工程では種子２を含む材料３、第二の投入工程では材料４）からなる領域（層）８（図２（Ｂ）参照）を袋体１内に形成し、上記二種の投入工程を交互に行うことにより、複数の領域８が袋体１の最奥部９側から順次形成されることになる。また、斯かる領域８を順次形成するために、各投入工程では、袋体１を、最奥部９が下に向くように配置するのであり、本実施形態では同時に、入口（投入口）１０が上を向くように配置する（図１（Ａ）参照）。
【００３３】
本実施の形態では、上述したように、袋体１内に種子２及び種子２以外の材料３，４を充填する工程を複数の投入工程に分けて行い、充填後には、袋体１の余剰部分（種子２、材料３，４が充填されない部分）の折り畳み、縫合、ステイプル打設、結束等の適宜の手段により、袋体１の入口（投入口）１０を封じる。
【００３４】
ここで、最終的に出来上がった植生袋Ａ（袋体１）の内部充填率が、見かけ容量で袋体１の９５％以上（好ましくは９７％以上）１００％以下となるようにすることが好適である。これは、充填率が低い（９５％未満である）と、袋体１の内容物の移動自由度が高まり、各領域８にある種子２や材料３，４が他の領域８に移動するなどして混合されてしまう恐れがあるためである。充填率を高めれば（９５％以上とすれば）、袋体１の内容物の移動が抑止され、上記のような混合は防止される。
【００３５】
上記のように製造した植生袋Ａは、法面等の緑化対象面上に配置されるのであり、例えば、図３に示すように、２枚のシート状体１１，１２間に植生袋Ａを位置ずれしないように挟み込んで植生マットを形成し、これを法面上に固定配置することができる。すなわち、両シート状体１１，１２は図外のステイプル等の接合部材によって張り合わされるのであり、この接合部材を植生袋Ａの周囲に設けることによって植生袋Ａの位置ずれを防止することができる。尚、シート状体１１，１２の種類や素材としては適宜のものを用いればよく、本例では、上側のシート状体１１は適宜の目合いを有する椰子繊維製のネット、下側のシート状体１２はジュート繊維製のシートである。
【００３６】
本実施形態の製造方法により得られる植生袋Ａでは、袋体１内に充填された材料３，４が袋体１の最奥部９側から順次形成された複数の領域８を構成し、種子２を含む領域８と、種子２を含まない領域８とが交互に形成された状態となっている。そして、斯かる植生袋Ａを緑化対象面に設置すると、種子２を含む領域８は植生区を構成し、種子２を含まない領域８は緩衝区を構成するので、種子２の過度の密集が防止され、植生袋Ａ全体にわたって植物の生育を好適に促進することができる。
【００３７】
従って、上記植生袋Ａによれば、種子２の極度の偏在を防止することができる上、緑化工に上記植生袋Ａを用いれば、生育せず無駄になる種子２の数も減らすことができるので、種子２の使用量も抑えられ、このことは製造コストや施工コストの低減にもつながる。そして、植生袋Ａは例えば野菜の栽培にも適用可能であり、この場合には、間引きを不要とすることもできる。
【００３８】
また、上記植生袋Ａは、種子２の配置を部分的に留めて種子２が存在しない緩衝区を設けるものであるが、この緩衝区をある程度広げれば、この区域は周辺植物から飛来してくる種子を生育させるための範囲ともなり、積極的に周辺植物が導入でき緑化に好適となる。
【００３９】
また、上記植生袋Ａは、図３に示すように植生マットとして設置可能であり、この設置は従来の植生マット工と同様に行える。そして、この植生マットを法面に設置するときには、植生袋Ａを等高線に沿うように配置すれば、上述の小段効果が得られる。
【００４０】
なお、本発明は、上記の実施の形態に何ら限定されず、本発明の要旨を逸脱しない範囲において種々に変形して実施し得ることは勿論である。例えば、以下のような変形例を挙げることができる。
【００４１】
上記実施の形態では、図１（Ａ）に示す投入装置を用いて各投入工程を実施しているが、これに限らず、例えば、各投入工程を手作業で逐一行うようにしてもよい。
【００４２】
袋体１の外面に、各投入工程の実施に際して形成しようとする領域８の深さ（あるいは投入対象の投入量）を作業者が知る手がかりとなる目印や、植生袋の設置時あるいは設置後に、植生袋のどの部分に植生対象としての植物繁殖体（種子２）が含まれているのかを植生袋の外側から一目で特定することができるようにするための目印などを設けてあってもよい。
【００４３】
上記実施の形態では種子２を用いているが、種子２以外の植物繁殖体を用いることができるのは勿論である。
【００４４】
材料３に、緑化対象面周辺の表土（表土シードバンク）を用いることも可能である。すなわち、埋土種子２が含まれている表土を特定の種子２を含む材料３として用いてもよい。このように表土を用いる場合は周辺生態系の復元や導入が期待できる。
【００４５】
例えば上下の幅が比較的小さい傾斜地には、図３に示す植生マットを、図４（Ｃ）に示すように等高線に沿うように（植生袋Ａが等高線と直交する向きとなるように）配置することもできる。
【００４６】
植生袋Ａの設置方法は種々に変更可能であり、例えば、図５（Ａ）に示すように、シート状体（ネット体）１３に設けられた複数のポケット１４にそれぞれ植生袋Ａを収容して植生マットを形成し、この植生マットを緑化対象面に配置するようにしてもよい。また、図３や図５（Ａ）に示す植生マットは、例えば、薄綿シートや不織布、紙などからなる侵食防止材を保持するように構成されていてもよい。
【００４７】
上記実施の形態は、種子２を含む材料３を投入する第一の投入工程と種子２を含まない材料４を投入する第二の投入工程とを交互に実施するものであるが、一つの植生袋の製造に際し、各々の投入工程のパターン（投入対象の内容）、パターン毎の投入工程の数やその順序、各投入工程における投入量などは適宜に変更することができる。すなわち、植生対象として含む植物繁殖体の種類の相違または前記植物繁殖体の有無により区別される２パターン以上の領域８が袋体１内において袋体１の最奥部側から所定の順序で並ぶように袋体１内に前記植物繁殖体及び材料を充填すればよく、これにより、所定の領域８に特定種の植物繁殖体を含ませ、他の所定の領域８に前記特定種の植物繁殖体を含ませない、といったことができるのであり、従って、植物繁殖体を自在かつ容易に所望の位置に配置することが可能となる。そして、所定の領域８に植生対象としての特定種の植物繁殖体を含ませ、前記所定の領域８に隣接する他の領域８に前記特定種の植物繁殖体を含ませないようにすれば、その所定の領域８において特定種の植物繁殖体を確実かつ良好に生育させることが可能となる。また、ここでいう他の領域８には、植生対象とする植物繁殖体を一切含ませないようにしてもよいし、前記特定種以外の植生対象とする植物繁殖体を含ませるようにしてもよい。
【００４８】
上記実施の形態には、二つのパターンの投入工程（第一、第二の投入工程）を示しているが、これらに代えて、あるいはこれらに加えて、例えば、二種以上の植生対象とする植物繁殖体を投入する投入工程、投入する植生対象としての植物繁殖体の種類の一部または全部が互いに異なる２パターン以上の投入工程、特定種または不特定の植生対象としての植物繁殖体を含むことが見込まれる材料（施工地周辺で採取した土壌等）を投入する投入工程、植生対象としての植物繁殖体のみを投入する投入工程等、他のパターンの投入工程を設けてもよい。例えば、植生対象としての植物繁殖体を含まない二つの領域８の間に植生対象としての植物繁殖体のみを配置するといったことも可能である。
【００４９】
投入する植生対象としての植物繁殖体の種類の一部または全部が互いに異なる２パターン以上の投入工程を有する製造方法により得られる植生袋は、含む植物繁殖体の種類の一部または全部が互いに異なる２パターン以上の領域８を有することになる。その一例を、第二の実施の形態として、図１（Ｂ）及び図２（Ｃ）を参照しながら説明する。
【００５０】
すなわち、図１（Ｂ）及び図２（Ｃ）に示す植生袋Ｂの製造方法では、各投入工程で投入された種子（植生対象としての植物繁殖体の一例）２は最大で一種であり、また、種子２を含む領域８を袋体１内に計三つ設けるようにしてあり、これら三つの領域８に含まれる種子２の種類（２ａ，２ｂ，２ｃ）は相互に異なっている。そのため、この植生袋Ｂを例えば図３や図５（Ａ）に示す植生マットに仕上げた状態で図４（Ａ）に示すように施工対象面に設置すると、各植生袋Ｂの三つの植生区１５ではそれぞれ互いに異なる種類の種子２が発芽することになる。
【００５１】
従って、第二の実施の形態では、一本の植生袋Ｂに、例えば樹木が生育する樹木部と、草本類が生育する草本部とを設けるといったことも可能となる。
【００５２】
尚、互いに種類の異なる植物繁殖体を含む領域８どうしが隣接しないように、それらの間に植物繁殖体を含まない領域８（緩衝区）を設けてあれば、一本の植生袋Ｂに、例えば樹木部と草本部とを、両者を明確に区分けしつつ設けるといったことも可能となるが、種子２の生育に問題がなければ、上記のような緩衝区を適宜省き、互いに種類の異なる植物繁殖体を含む領域８どうしが隣接するようにしてもよい。
【００５３】
また、図３や図５（Ａ）に示す植生マットは、植生袋Ａ、Ｂと同等の幅を有するシート状体に、複数の植生袋Ａ、Ｂを略ストライプ状に並ぶ状態となるように（適宜の間隔をあけてシート状体の幅方向と略平行に延在するように）装着したものであり、例えば複数の植生袋Ａの間で含む植物繁殖体の種類に違いがあるようにしてもよく、このようにすれば、植生マットの長手方向等に植生区分を設けることも可能である。
【００５４】
さらに、図４（Ｂ）に示すように、各植生マットにおいて、あるいは並べた複数の植生マットにわたって、植生区１５と緩衝区１６とによる文字や図柄等が浮かびあがるように構成してもよい（図示例では左右に並ぶ二つの植生マットにわたって数字の「０」と「１」を浮かび上がらせている）。このような構成は、例えば、図５（Ｂ）に示すように、複数の植生袋Ａ、Ｂを連ねて保持する植生マットを用いれば容易に実施可能である。
【００５５】
植生袋Ａ、Ｂはさらに、例えば、図６に示すように、保形性を有し起立可能な筒状部材（例えば、多孔性プラスチック容器）１７内に挿入して、起立状態で設置することもできる。図６には、互いに異なる種子２（２ａ，２ｂ，２ｃ）を含む三つの領域８を有する植生袋Ｃを用い、これら三つの領域８から互いに異なる植物を生育させた例を示してある。このような変形は、例えば、見栄えが重視される花類の生育等に適している。
【００５６】
尚、図６に示すように植物を生育させる場合、筒状部材１７には、植物が通ることのできる目合いまたは強度（破れ易さ）を持たせ、袋体１にも、植物が通ることのできる強度(破れ易さ)を持たせておけばよい。また、筒状部材１７の全体を網状にするのではなく、例えば、植物の通芽が必要となる箇所のみを網状とするようにしてあってもよい。
【００５７】
また、植生袋Ａ、Ｂは、一本の長袋状の袋体１のみを加工なくそのまま用いるだけで植物繁殖体を袋体１内の任意の場所へ配置することができる、という効果を有するものであるが、袋体１に何らかの加工を施すようにしてもよいのであり、例えば、植生袋Ａ、Ｂさらには植生袋Ｃが、任意のあるいは全ての隣り合う二つの領域８の間に仕切り部を有していてもよい。そのような仕切り部を有する植生袋としては、例えば、図７（Ａ）に示すように、袋体１において領域８の境界となる部分１８が縫合されたものや、図７（Ｂ）及び（Ｃ）に示すように、袋体１において領域８の境界となる部分１８に板状やシート状の仕切り部材１９が配置されたものを挙げることができる。そして、図７（Ｂ）及び（Ｃ）に示す例において、仕切り部材１９に適宜の剛性あるいは保形性を持たせてあれば、この仕切り部材１９を備えた植生袋を法面に設置したときに、所謂小段効果がより強力に得られることになる。
【００５８】
上記のように植生袋に仕切り部を設ける場合には、隣接する領域８の間で材料３、４や植生対象とする植物繁殖体が移動することを効果的に防止可能となるため、例えば、植物繁殖体を含まない材料４として、植生対象とする植物繁殖体の生育を邪魔しない範囲で、植物繁殖体を含む材料３とは性状の大きく異なる材料（例えば貝殻、蟹殻、果実屑等の農水産廃物、ウッドチップ、製紙スラッジなど）を用いることもできる。逆に、仕切り部を設けない場合は、各領域８を構成する材料の性状を少なくとも近似させておくことが、植生袋の搬送中等における各領域８の材料等の移動（混合）を防止する上で望ましい。
【００５９】
上記各変形を、適宜に組み合わせて行ってもよいことはいうまでもない。
【符号の説明】
【００６０】
１    袋体
２    種子
３    材料
４    材料
８    領域
【図１】
2012237179.tif 000003
【図２】
2012237179.tif 000004
【図３】
2012237179.tif 000005
【図４】
2012237179.tif 000006
【図５】
2012237179.tif 000007
【図６】
2012237179.tif 000008
【図７】
2012237179.tif 000009